(57)【特許請求の範囲】
【請求項１】
第１の２値面積階調画像を、該第１の２値面積階調画像が複数の領域に分割されてなる各分割領域内の面積率に応じた画素値を有する画素の集合からなる第１の多値画像に変換する２値−多値変換過程と、
前記第１の多値画像と、該第１の多値画像の各画素の画素値を変換することにより生成される、変換された後の画素値を有する画素の集合からなる第２の多値画像との間での、対応する各画素どうしの差異を表わす値を求める多値−多値間差異演算過程と、
前記第１の２値面積階調画像の、前記第２の多値画像の各画素に対応する各領域の面積率を該各画素に対応する前記差異を表わす値に応じて増減することにより、前記第１の２値面積階調画像を、該第１の２値面積階調画像に対し各領域の面積率が増減された第２の２値面積階調画像に変換する２値−２値変換過程とを有することを特徴とする画像変換方法。
【請求項２】
前記多値−多値間差異演算過程は、カラー画像が色分解されてなる複数の単色画像それぞれを表わす複数の第１の２値面積階調画像がそれぞれ変換されてなる複数の第１の多値画像と、該複数の第１の多値画像を多次元変換することにより生成される複数の第２の多値画像との間での、対応する各画素どうしの差異を表わす値を求める過程であることを特徴とする請求項１記載の画像変換方法。
【請求項３】
前記２値−多値変換過程に代えて、第１の２値面積階調画像を、該第１の２値面積階調画像が複数の領域に分割されてなる各分割領域内の面積率に応じた画素値を有する画素の集合からなる第３の多値画像に変換する第１サブ過程と、前記第１サブ過程で得られた第３の多値画像に画像処理を施すことにより前記第１の多値画像を生成する第２サブ過程とからなる２値−多値変換過程を有することを特徴とする請求項１記載の画像変換方法。
【請求項４】
前記第２サブ過程が、前記第３の多値画像に低空間周波数フィルタリング処理を施す過程であることを特徴とする請求項３記載の画像変換方法。
【請求項５】
前記２値−２値変換過程は、前記面積率を増減するにあたり、前記第１の２値面積階調画像の２値の境界部分を反転することにより、該面積率を増減するものであることを特徴とする請求項１記載の画像変換方法。
【請求項６】
第１の２値面積階調画像を、該第１の２値面積階調画像が複数の領域に分割されてなる各分割領域内の面積率に応じた画素値を有する画素の集合からなる第１の多値画像に変換する２値−多値変換部と、
前記第１の多値画像と、該第１の多値画像の各画素の画素値を変換することにより生成される、変換された後の画素値を有する画素の集合からなる第２の多値画像との間での、対応する各画素どうしの差異を表わす値を求める多値−多値間差異演算部と、
前記第１の２値面積階調画像の、前記第２の多値画像の各画素に対応する各領域の面積率を該各画素に対応する前記差異を表わす値に応じて増減することにより、前記第１の２値面積階調画像を、該第１の２値面積階調画像に対し各領域の面積率が増減された第２の２値面積階調画像に変換する２値−２値変換部とを備えたことを特徴とする画像変換装置。
【請求項７】
前記２値−多値変換部に代えて、第１の２値面積階調画像を、該第１の２値面積階調画像が複数の領域に分割されてなる各分割領域内の面積率に応じた画素値を有する画素の集合からなる第３の多値画像に変換する第１変換部と、前記第１変換部で得られた第３の多値画像に画像処理を施すことにより前記第１の多値画像を生成する第２変換部とからなる２値−多値変換部を備えたことを特徴とする請求項６記載の画像変換装置。
【請求項８】
コンピュータを、２値面積階調画像どうしの間で画像変換を行う画像変換装置として動作させる画像変換プログラムにおいて、
第１の２値面積階調画像を、該第１の２値面積階調画像が複数の領域に分割されてなる各分割領域内の面積率に応じた画素値を有する画素の集合からなる第１の多値画像に変換する２値−多値変換部と、
前記第１の多値画像のと、該第１の多値画像各画素の画素値を変換することにより生成される、変換された後の画素値を有する画素の集合からなる第２の多値画像との間での、対応する各画素どうしの差異を表わす値を求める多値−多値間差異演算部と、
前記第１の２値面積階調画像の、前記第２の多値画像の各画素に対応する各領域の面積率を該各画素に対応する前記差異を表わす値に応じて増減することにより、前記第１の２値面積階調画像を、該第１の２値面積階調画像に対し各領域の面積率が増減された第２の２値面積階調画像に変換する２値−２値変換部とを有するものであることを特徴とする画像変換プログラム。
【請求項９】
前記２値−多値変換部に代えて、第１の２値面積階調画像を、該第１の２値面積階調画像が複数の領域に分割されてなる各分割領域内の面積率に応じた画素値を有する画素の集合からなる第３の多値画像に変換する第１変換部と、前記第１変換部で得られた第３の多値画像に画像処理を施すことにより前記第１の多値画像を生成する第２変換部とからなる２値−多値変換部を有するものであることを特徴とする請求項８記載の画像変換プログラム。
【発明の詳細な説明】
【０００１】
【発明の属する技術分野】
本発明は、２値面積階調画像どうしの間で画像変換を行う画像変換方法、画像変換装置、およびコンピュータをそのような画像変換装置として動作させる画像変換プログラムに関する。
【０００２】
【従来の技術】
従来より、印刷機を用いて画像印刷を行うにあたっては、印刷を行う前にプリンタ等を用いて、その印刷機での印刷によって得られる印刷画像に似せたプルーフ画像を出力し、このプルーフ画像を参考にして、印刷機での印刷によって得られる印刷画像の仕上がりの予測が行われている。
【０００３】
印刷機を用いた画像印刷においては、例えば、まず、多値画像を表わす多値データが印刷用網点データ生成装置に入力され、この印刷用網点データ生成装置内では入力された多値データが網点化されて２値面積階調画像を表わす網点データが生成される。印刷機では、この生成された２値面積階調画像を表わす網点データに基づいて、その２値面積階調画像が用紙上に出力される。
【０００４】
また、プリンタでプルーフ画像を出力するにあたっては、例えば、上記印刷用網点データ生成装置に入力される多値画像を表わす多値データと同じ多値データがプルーフ用網点データ生成装置に入力され、このプルーフ用網点データ生成装置内では入力された多値データに、後述する色変換処理が施され、さらに、このような色変換処理が施された多値データに網点化処理が施されて、２値面積階調画像を表わすプルーフ用網点データが生成される。プリンタでは、この生成された２値面積階調画像を表わすプルーフ用網点データに基づいて、その２値面積階調画像が用紙上に出力される。このプリンタで出力される２値面積階調画像をここではプルーフ画像と称する。
【０００５】
ここで、色変換処理にあたっては、印刷を行おうとしている印刷機に対応した、画像データと実際の印刷物の色との関係を記述した色再現特性（印刷プロファイル）と、プリンタに対応した、画像データと実際に出力される画像の色との関係を記述した色再現特性（プリンタプロファイル）とを知り、これらの印刷プロファイルとプリンタプロファイルとの結合からなる、例えばＬＵＴ（Ｌｏｏｋ  Ｕｐ  Ｔａｂｌｅ）形式の色対応定義を作成し、このＬＵＴに基づいて印刷用の画像データが上記プルーフ用網点データに変換される。プリンタではこのようにして得られたプルーフ用網点データに基づいてプルーフ画像が出力され、その結果、印刷機で印刷される実際の印刷物の色と極力同じ色に似せたプルーフ画像が得られる。
【０００６】
【発明が解決しようとする課題】
しかし、このプリンタで出力されるプルーフ画像は、一般に、上記印刷機で印刷される２値面積階調画像と比べて、個々の網点の並ぶ角度や間隔、また個々の網点の形状や大きさ等の要素によって規定される網点構造が互いに異なったものとなる。このように網点構造が異なると網点のロゼッタ模様やモアレ模様、さらにはドットゲインの起こり方も異なるために、印刷画像と比べ印象の異なるプルーフ画像が得られてしまうおそれがある。
【０００７】
一方、印刷機とプリンタとで、同じ網点構造の２値面積階調画像を表わす網点データに基づいて２値面積階調画像をそれぞれ出力すると、互いの網点構造は等しいものとなるが、一旦２値面積階調画像に変換された後の網点データにおいては、上述したような色変換処理を施すことが不可能であり、印刷画像と比べ異なる色で表現されたプルーフ画像が得られてしまうおそれがある。
【０００８】
本発明は、上記事情に鑑み、２値面積階調画像を、極力同じ網点構造を持ちつつ、かつ極力同じ色で表現された、２値面積階調画像に変換する画像変換方法、画像変換装置、およびコンピュータをそのような画像変換装置として動作させる画像変換プログラムを提供することを目的とする。
【０００９】
【課題を解決するための手段】
上記目的を達成する本発明の画像変換方法は、
第１の２値面積階調画像を、この第１の２値面積階調画像が複数の領域に分割されてなる各分割領域内の面積率に応じた画素値を有する画素の集合からなる第１の多値画像に変換する２値−多値変換過程と、
第１の多値画像と、この第１の多値画像の各画素の画素値を変換することにより生成される、変換された後の画素値を有する画素の集合からなる第２の多値画像との間での、対応する各画素どうしの差異を表わす値を求める多値−多値間差異演算過程と、
第１の２値面積階調画像の、第２の多値画像の各画素に対応する各領域の面積率をその各画素に対応する差異を表わす値に応じて増減することにより、第１の２値面積階調画像を、この第１の２値面積階調画像に対し各領域の面積率が増減された第２の２値面積階調画像に変換する２値−２値変換過程とを有することを特徴とする。
【００１０】
本発明の画像変換方法は、２値面積階調画像を一旦多値画像に変換し、その多値画像の画素値を変換するものであるため、その段階で色変換処理を施すことができる。また、本発明の画像変換方法は、画素値が変換された後の多値画像と画素値が変換される前の多値画像の、対応する各画素の画素値どうしの差異を表わす値に応じて、元の２値面積階調画像の、多値画像の各画素に対応する各分割領域の面積率を増減するものであるため、この差異を表わす値に応じた面積率の増減分だけ、元の２値面積階調画像に比べて網点構造が変わることになるが、全く別の網点構造を基に網点データを作成するものと比べると、元の２値面積階調画像の網点構造にかなり近い網点構造の２値面積階調画像を得ることができる。従って、本発明の画像変換方法によれば、２値面積階調画像を、極力同じ網点構造を持ちつつ、かつ極力同じ色で表現された、別の２値面積階調画像に変換することができる。
【００１１】
ここで、上記本発明の画像変換方法において、多値−多値間差異演算過程は、カラー画像が色分解されてなる複数の単色画像それぞれを表わす複数の第１の２値面積階調画像がそれぞれ変換されてなる複数の第１の多値画像と、この複数の第１の多値画像を多次元変換することにより生成される複数の第２の多値画像との間での、対応する各画素どうしの差異を表わす値を求める過程であることが好ましい。
【００１２】
上記の本発明の画像変換方法を採用して複数色に対応する複数の２値面積階調画像からなるカラー画像を変換するにあたっては、各色それぞれが互いにかかわりあってカラー画像を形成するため、多次元変換による色変換処理を施すことにより、より一層同じ色に似せた画像を得ることができる。
【００１３】
また、上記本発明の画像変換方法において、上記２値−多値変換過程に代えて、第１の２値面積階調画像を、この第１の２値面積階調画像が複数の領域に分割されてなる各分割領域内の面積率に応じた画素値を有する画素の集合からなる第３の多値画像に変換する第１サブ過程と、第１サブ過程で得られた第３の多値画像に画像処理を施すことにより第１の多値画像を生成する第２サブ過程とからなる２値−多値変換過程を有するものであってもよい。
【００１４】
ここで、上記第２サブ過程は、第３の多値画像に低空間周波数フィルタリング処理を施す過程であることが好ましい。
【００１５】
２値面積階調画像を多値画像に変換するにあたり、２値面積階調画像を等間隔で分割したときの分割間隔の周期と、２値面積階調画像の網点の周期とが干渉して、視覚上目立つモアレが発生するおそれがある。そこで、その多値画像に低空間周波数フィルタリング処理を施すと、モアレが軽減される可能性が高まり、その結果、より一層近似した画像を得ることができる。
【００１６】
また、上記２値−２値変換過程は、面積率を増減するにあたり、上記第１の２値面積階調画像の２値の境界部分を反転することにより、その面積率を増減するものであることが好ましい。
【００１７】
第１の２値面積階調画像、すなわち変換前の２値面積階調画像の２値の境界部分を反転することによって面積率を増減すると、その境界部分が反転された網点が部分的に形状の変化を受けるだけであって、変換前の２値面積階調画像の網点構造に与える影響は少なくて済み、変換前の２値面積階調画像の網点構造に、より一層似せた網点構造からなる２値面積階調画像を得ることができる。
【００１８】
また、上記目的を達成するための本発明の画像変換装置は、
第１の２値面積階調画像を、この第１の２値面積階調画像が複数の領域に分割されてなる各分割領域内の面積率に応じた画素値を有する画素の集合からなる第１の多値画像に変換する２値−多値変換部と、
第１の多値画像と、この第１の多値画像の各画素の画素値を変換することにより生成される、変換された後の画素値を有する画素の集合からなる第２の多値画像との間での、対応する各画素どうしの差異を表わす値を求める多値−多値間差異演算部と、
第１の２値面積階調画像の、第２の多値画像の各画素に対応する各領域の面積率をその各画素に対応する差異を表わす値に応じて増減することにより、第１の２値面積階調画像を、この第１の２値面積階調画像に対し各領域の面積率が増減された第２の２値面積階調画像に変換する２値−２値変換部とを備えたことを特徴とする。
【００１９】
ここで、上記本発明の画像変換装置において、多値−多値間差異演算部は、カラー画像が色分解されてなる複数の単色画像それぞれを表わす複数の第１の２値面積階調画像がそれぞれ変換されてなる複数の第１の多値画像と、この複数の第１の多値画像を多次元変換することにより生成される複数の第２の多値画像との間での、対応する各画素どうしの差異を表わす値を求めるものであることが好ましい。
【００２０】
また、上記本発明の画像変換装置において、上記２値−多値変換部に代えて、第１の２値面積階調画像を、この第１の２値面積階調画像が複数の領域に分割されてなる各分割領域内の面積率に応じた画素値を有する画素の集合からなる第３の多値画像に変換する第１変換部と、第１変換部で得られた第３の多値画像に画像処理を施すことにより第１の多値画像を生成する第２変換部とからなる２値−多値変換部を備えたものであってもよい。
【００２１】
ここで、上記第２変換部は、第３の多値画像に低空間周波数フィルタリング処理を施すものであることが好ましい。
【００２２】
また、上記２値−２値変換部は、面積率を増減するにあたり、上記第１の２値面積階調画像の２値の境界部分を反転することにより、その面積率を増減するものであることが好ましい。
【００２３】
さらに、上記目的を達成するための本発明の画像変換プログラムは、コンピュータを、２値面積階調画像どうしの間で画像変換を行う画像変換装置として動作させる画像変換プログラムにおいて、
第１の２値面積階調画像を、この第１の２値面積階調画像が複数の領域に分割されてなる各分割領域内の面積率に応じた画素値を有する画素の集合からなる第１の多値画像に変換する２値−多値変換部と、
第１の多値画像と、この第１の多値画像の各画素の画素値を変換することにより生成される、変換された後の画素値を有する画素の集合からなる第２の多値画像との間での、対応する各画素どうしの差異を表わす値を求める多値−多値間差異演算部と、
第１の２値面積階調画像の、第２の多値画像の各画素に対応する各領域の面積率をその各画素に対応する差異を表わす値に応じて増減することにより、第１の２値面積階調画像を、この第１の２値面積階調画像に対し各領域の面積率が増減された第２の２値面積階調画像に変換する２値−２値変換部とを有するものであることを特徴とする。
【００２４】
ここで、上記本発明の画像変換プログラムにおいて、多値−多値間差異演算部は、カラー画像が色分解されてなる複数の単色画像それぞれを表わす複数の第１の２値面積階調画像がそれぞれ変換されてなる複数の第１の多値画像と、この複数の第１の多値画像を多次元変換することにより生成される複数の第２の多値画像との間での、対応する各画素どうしの差異を表わす値を求めるものであることが好ましい。
【００２５】
また、上記本発明の画像変換プログラムにおいて、２値−多値変換部に代えて、第１の２値面積階調画像を、この第１の２値面積階調画像が複数の領域に分割されてなる各分割領域内の面積率に応じた画素値を有する画素の集合からなる第３の多値画像に変換する第１変換部と、第１変換部で得られた第３の多値画像に画像処理を施すことにより第１の多値画像を生成する第２変換部とからなる２値−多値変換部を有するものであってもよい。
【００２６】
ここで、上記第２変換部は、第３の多値画像に低空間周波数フィルタリング処理を施すものであることが好ましい。
【００２７】
また、上記２値−２値変換部は、面積率を増減するにあたり、上記第１の２値面積階調画像の２値の境界部分を反転することにより、その面積率を増減するものであることが好ましい。
【００２８】
【発明の実施の形態】
以下、本発明の実施形態について説明する。
【００２９】
図１は、本発明の一実施形態が組み込まれた印刷およびプルーフ画像作成システムの全体構成図である。
【００３０】
カラースキャナ１０では、原稿画像が読み取られて、その原稿画像を表わすＣ、Ｍ、Ｙ、Ｋ４色の色分解画像データが生成される。このＣ、Ｍ、Ｙ、Ｋの画像データはワークステーション２０に入力される。ワークステーション２０では、オペレータにより、入力された画像データに基づく、電子的な集版が行われ、印刷用の画像データが生成される。この印刷用の画像データは、Ｃ、Ｍ、Ｙ、Ｋ４色それぞれについて階調を有する画素からなる多値画像で表現されている。印刷を行う場合は、この印刷用の画像データは、そのワークステーション２０内で、２値面積階調画像を表わす製版用の網点データに変換されてフィルムプリンタ３０に入力され、その製版用の網点データに対応した、Ｃ、Ｍ、Ｙ、Ｋ各版の印刷用フィルム原版が作成される。
【００３１】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００３２】
このフィルムプリンタ３０によりフィルム原版を作成し、さらに刷版を作成して印刷機４０に装着し、その刷版にインクを塗布して用紙上に印刷を行う一連の作業は、大がかりな作業であり、コストもかかる。このため、実際の印刷作業を行う前に、パーソナルコンピュータ５０とプリンタ６０により、以下のようにしてプルーフ画像６１を作成し、印刷画像４１の仕上がりの事前確認が行われる。
【００３３】
プルーフ画像６１を作成するにあったっては、ワークステーション２０上で作成された２値面積階調画像を表わす製版用の網点データがパーソナルコンピュータ５０に入力される。このパーソナルコンピュータ５０は本発明にいう画像変換装置の一実施形態に相当するものであり、ワークステーション２０からこのパーソナルコンピュータ５０に送られてきた２値面積階調画像を表わす製版用の網点データは、このパーソナルコンピュータ５０内で本発明の一実施形態としての画像変換（詳細は後述する）を受け、プリンタ６０に適合するとともに、印刷画像４１の色と極力同じ色に似せ、かつ印刷画像４１の網点構造と極力同じ網点構造に似せたプルーフ画像６１を得ることのできる網点データに変換される。プリンタ６０には、そのように画像変換された２値面積階調画像を表わす網点データが入力され、プリンタ６０では、その入力された２値面積階調画像を表わす網点データに基づいて、プルーフ画像６１が用紙上に出力さる。
【００３４】
ここで、ワークステーション２０上で作成された２値面積階調画像を表わす網点データがパーソナルコンピュータ５０に入力されるにあたっては、コンピュータネットワークを介して、あるいはＭＯディスク（光磁気ディスク）等の記憶媒体によって行われる。
【００３５】
このようにして、印刷機４０で印刷される実際の印刷画像４１の色と極力同じ色に似せ、かつその印刷画像４１の網点構造と極力同じ網点構造に似せたプルーフ画像６１がプリンタ６０で出力される。
【００３６】
ここで、この図１に示す印刷およびプルーフ画像作成システムにおける、本発明の一実施形態としての特徴は、パーソナルコンピュータ５０の内部で実行される処理内容にあり、以下、先ず、このパーソナルコンピュータ５０について説明する。
【００３７】
図２は、図１に１つのブロックで示すパーソナルコンピュータ５０の外観斜視図、図３は、そのパーソナルコンピュータ５０のハードウェア構成図である。
【００３８】
このパーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示されている、例えばアイコン等に応じた指示を入力するマウス５４を備えている。この本体装置５１は、外観上、ＭＯディスクを装填するためのＭＯ装填口５１ａ、およびＣＤ−ＲＯＭを装填するためのＣＤ−ＲＯＭ装填口５１ｂを有する。
【００３９】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムや画像データ等が保存されたハードディスク装置５１３、ＭＯディスク１００が装填されその装填されたＭＯディスク１００を駆動するＭＯドライブ５１４、ＣＤ−ＲＯＭ１１０が装填されその装填されたＣＤ−ＲＯＭ１１０を駆動するＣＤ−ＲＯＭドライブ５１５、ワークステーション２０（図１参照）と接続され、このワークステーション２０から２値面積階調画像を表わす網点データを受け取る入力インタフェース５１６、プリンタ６０（図１参照）に２値面積階調画像を表わす網点データを送る出力インタフェース５１７が内蔵されており、これらの各種要素と、さらに図２にも示す画像表示装置５２、キーボード５３、マウス５４は、バス５５を介して相互に接続されている。
【００４０】
ここで、ＣＤ−ＲＯＭ１１０には、このパーソナルコンピュータ５０を画像変換装置として動作させるための画像変換プログラムが記憶されており、そのＣＤ−ＲＯＭ１１０はＣＤ−ＲＯＭドライブ５１５に装填され、そのＣＤ−ＲＯＭ１１０に記憶された画像変換プログラムがこのパーソナルコンピュータ５０にアップロードされてハードディスク５１３に記憶される。
【００４１】
図４は、本発明の画像変換装置の第１実施形態を示す機能ブロック図である。
【００４２】
この画像変換装置７０は、図１〜図３に示すパーソナルコンピュータ５０とその内部で実行される画像変換プログラムとにより構成され、この画像変換装置７０は、２値−多値変換部７１と、多値−多値間差異演算部７２と、２値−２値変換部７３とを有する。これらのうち、多値−多値間差異演算部７２は、多値−多値変換部７２１と差異演算部７２２とから構成されている。
【００４３】
この画像変換装置７０によって、以下説明するように、本発明の画像変換方法の第１実施形態が実行される。
【００４４】
図５は、本発明の画像変換方法の第１実施形態を示すフローチャートである。以下、図４を参照しつつ、図５のフローチャートについて説明する。
【００４５】
まず、ワークステーション２０（図１参照）上で作成された第１の２値面積階調画像が２値−多値変換部７１に入力される。この２値−多値変換部７１では、２値−多値変換過程（図５のステップＳ１）によって、第１の２値面積階調画像が複数の領域に分割されてなる各分割領域内の面積率に応じた画素値を有する画素の集合からなる第１の多値画像に変換される。
【００４６】
次に、この第１の多値画像が多値−多値間差異演算部７２に入力される。すると、この多値−多値間差異演算部７２を構成している多値−多値変換部７２１において、多値−多値間差異演算過程（図５のステップＳ２）を構成する多値−多値変換過程（ステップＳ２１）によって、第１の多値画像の各画素の画素値が変換され、これにより、第１の多値画像が変換された後の画素値を有する画素の集合からなる第２の多値画像が生成される。
【００４７】
さらに、第１の多値画像と第２の多値画像の双方が、多値−多値間差異演算部７２を構成する差異演算部７２２に入力される。この差異演算部７２２では、多値−多値間差異演算過程（図５のステップＳ２）を構成する差異演算過程（ステップＳ２２）によって、第１の多値画像と第２の多値画像の、対応する画素どうしの差異を表わす値、すなわち本実施形態では、対応する画素どうしの画素値の差分値が求められる。
【００４８】
尚、多値−多値変換と差異演算とを一つの変換にまとめて、第２の多値画像を生成せずに、第１の多値画像から直接差分値を得るように構成してもよい。
【００４９】
この差分値と第１の２値面積階調画像の双方が２値−２値変換部７３に入力される。この２値−２値変換部７３では、２値−２値変換過程（図５のステップＳ３）によって、第１の２値面積階調画像の、第２の多値画像の各画素に対応する各領域の面積率が、各画素に対応する差分値に応じて増減され、これにより、第１の２値面積階調画像が、その第１の２値面積階調画像に対し各領域の面積率が増減された第２の２値面積階調画像に変換される。
【００５０】
また、２値−２値変換部７３での２値−２値変換過程（図５のステップＳ３）は、面積率を増減するにあたり、第１の２値面積階調画像の２値の境界部分を反転することにより、面積率を増減するものである。
【００５１】
図６は、本発明の画像変換プログラムの第１実施形態を示した図である。
【００５２】
ここでは、この画像変換プログラムは、図３に示すＣＤ−ＲＯＭ１１０に記憶されている。
【００５３】
この画像変換プログラム８００は、２値−多値変換部８０１と、多値−多値間差異演算部８０２と、２値−２値変換部８０３とを有する。これらのうち、多値−多値間差異演算部７２は、多値−多値変換部８０２１と差異演算部８０２２とから構成されている。これら各部の作用は、前述した画像変換装置７０の実施形態における同一名称の各部の作用と同一である。
【００５４】
図７〜図９は、本発明の画像変換方法の第１実施形態を具体的に例示した説明図である。
【００５５】
図７（Ａ）は、０と１の２値で表現された２値面積階調画像を表わす網点データを示しており、１の部分（斜線を施した部分）は印刷時にインクが塗布される領域に対応した部分である。この２値面積階調画像（図７（Ａ））は、本実施形態では、単色画像を表わす２値面積階調画像を例示しており、図４に示す第１の２値面積階調画像の一部分である。ここでは、０または１の１つずつの区画をドットと称する。
【００５６】
図７（Ｂ）は、第１の多値画像の一部分を表わしており、第１の２値面積階調画像（図７（Ａ））から第１の多値画像（図７（Ｂ））への画像変換は、図４に示す２値−多値変換部７１における、図５の２値−多値変換過程（ステップＳ１）に相当する処理により行われる。ここでは、２４００ｄｐｉの第１の２値面積階調画像（図７（Ａ））が４ドット×４ドットの領域に分割され、その分割された各分割領域内の１のドットの数を画素値とする、０〜１６の１７値の階調を有する画素からなる６００ｄｐｉの第１の多値画像（図７（Ｂ））に画像変換される。
【００５７】
図７（Ｃ）は、第１の多値画像の各画素の画素値の変換により得られた第２の多値画像の一部分を表わしており、第１の多値画像（図７（Ｂ））から第２の多値画像（図７（Ｃ））への画像変換は、図４に示す多値−多値間差異演算部７２を構成する多値−多値変換部７２１における、図５の多値−多値間差異演算過程（ステップＳ２）を構成する多値−多値変換過程（ステップＳ２１）に相当する処理により行われる。ここでは、第１の多値画像（図７（Ｂ））に一次元ＬＵＴに基づくカラーマッチング処理が行われ、第１の多値画像（図７（Ｂ））が第２の多値画像（図７（Ｃ））に画像変換される。
【００５８】
図８は、第１の多値画像（図７（Ｂ））と第２の多値画像（図７（Ｃ））の対応する各画素の画素値どうしの差分値を画素値とする差分画像を表わしており、上記のようにして第２の多値画像が求められると、次に、図４に示す多値−多値間差異演算部７２を構成する差異演算部７２２における、図５の多値−多値間差異演算過程（ステップＳ２）を構成する差異演算過程（ステップＳ２２）に相当する処理が、第１の多値画像（図７（Ｂ））と第２の多値画像（図７（Ｃ））の対応する各画素どうしで行われ、各画素位置ごとに、図８に示す差分値が求められる。
【００５９】
図９は、図４に示す２値−２値変換部７３における、図５の２値−２値変換過程（ステップＳ３）に相当する処理により得られる第２の２値面積階調画像の一部分を例示した図である。ここでは、第２の多値画像（図７（Ｃ））の各画素を第１の２値面積階調画像（図７（Ａ））の４ドット×４ドットの各領域に対応させたときの、各分割領域内の１のドットの数を、図８に示す差分値に応じて増減することによって、図７（Ａ）に示す第１の２値面積階調画像が図９に示す第２の２値面積階調画像に画像変換される。
【００６０】
具体的には、図８の差分画像は左上の画素のみ１であって他の画素は０であるため、図７（Ａ）に示す第１の２値面積階調画像の左上の分割領域のみ、１のドットが集まった部分に隣接した０のドットが１つだけ１に変換され、これにより、図９に示す第２の２値面積階調画像が求められる。
【００６１】
このように、本実施形態は、２値面積階調画像を一旦多値画像に変換し、その多値画像の画素値を変換するものであるため、その段階で色を合わせる操作が行われる。また、画素値が変換された後の多値画像と画素値が変換される前の多値画像の対応する各画素の画素値どうしの差分値に応じて、元の２値面積階調画像の、多値画像の各画素に対応する各分割領域の面積率を増減するものであるため、この差分値に応じた面積率の増減分だけ、元の２値面積階調画像と比べて網点構造が変わることになるが、全く別の網点構造を基に網点データを作成するものと比べると、元の２値面積階調画像の網点構造にかなり近い網点構造の新たな２値面積階調画像を得ることができる。
【００６２】
次に、第２実施形態について説明する。上述した第１実施形態では、単色画像を念頭に置いた説明を行ったが、以下の第２実施形態では、Ｃ、Ｍ、Ｙ、Ｋ４色の単色画像により構成されたカラー画像を念頭において説明を行う。
【００６３】
図１０は、本発明の画像変換装置の第２実施形態を示す機能ブロック図である。
【００６４】
この画像変換装置７０’は、図１〜図３に示すパーソナルコンピュータ５０とその内部で実行される画像変換プログラムとにより構成される。この画像変換装置７０’は、図４に示す画像変換装置７０の２値−多値変換部７１に代えて、第１変換部７１１と第２変換部７１２とからなる２値−多値変換部７１０を備えている。多値−多値間差異演算部７２と、２値−２値変換部７３に関しては、図４に示す画像変換装置７０と同一である。これらのうち、多値−多値間差異演算部７２を構成する多値−多値変換部７２１および差異演算部７２２も、図４に示す画像変換装置７０と同一である。
【００６５】
この画像変換装置７０’によって、以下説明するように、本発明の画像変換方法の第２実施形態が実行される。
【００６６】
図１１は、本発明の画像変換方法の第２実施形態を示すフローチャートである。以下、図１０を参照しつつ、図１１のフローチャートについて説明する。
【００６７】
ここには、図５に示すフローチャートの２値−多値変換過程（ステップＳ１）に代えて、第１サブ過程（図１１のステップＳ１１）と第２サブ過程（図１１のステップＳ１２）とからなる２値−多値変換過程（図１１のステップＳ１０）を有する。
【００６８】
まず、ワークステーション２０（図１参照）上で作成された１つのカラー画像を構成するＣ、Ｍ、Ｙ、Ｋそれぞれに対応する４色の第１の２値面積階調画像が第１変換部７１１に入力される。この第１変換部７１１では、第１サブ過程（図１１のステップＳ１１）によって、４色の第１の２値面積階調画像それぞれについて、その第１の２値面積階調画像が複数の領域に分割されてなる各分割領域内の面積率に応じた画素値を有する画素の集合からなる、４色それぞれの第３の多値画像に変換される。
【００６９】
このようにして求められた４色分の第３の多値画像は、第２変換部７１２に入力される。この第２変換部７１２では、第２サブ過程（図１１のステップＳ１２）によって、４色分の第３の多値画像それぞれに画像処理が施されることにより４色分の第１の多値画像が生成される。ここで、この第２サブ過程における画像処理では、第１サブ過程（図１１のステップＳ１１）において第１の２値面積階調画像を等間隔で分割したときの分割間隔の周期と、第１の２値面積階調画像の網点の周期とが干渉を起こして発生するおそれのある、視覚上目立つモアレを軽減するため、低空間周波数フィルタリング処理が施される。
【００７０】
次に、この４色分の第１の多値画像が多値−多値間差異演算部７２に入力される。すると、この多値−多値間差異演算部７２を構成する多値−多値変換部７２１において、多値−多値間差異演算過程（図１１のステップＳ２）を構成する多値−多値変換過程（ステップＳ２１）によって、Ｃ、Ｍ、Ｙ、Ｋの各第１の多値画像の各画素の画素値が変換され、これにより、Ｃ、Ｍ、Ｙ、Ｋの各第１の多値画像が変換された後の画素値を有する画素の集合からなるＣ、Ｍ、Ｙ、Ｋの各第２の多値画像が生成される。
【００７１】
ここで、この多値−多値変換部７２１での多値−多値変換過程（図１１のステップＳ２１）では、Ｃ、Ｍ、Ｙ、Ｋの各第１の多値画像が、多次元変換（ここでは、Ｃ、Ｍ、Ｙ、Ｋの４次元変換）により、Ｃ、Ｍ、Ｙ、Ｋの各第２の多値画像に変換される。多次元変換（４次元変換）については後述する。
【００７２】
このような多次元変換が行われる前のＣ、Ｍ、Ｙ、Ｋ４色分の第１の多値画像と、このような多次元変換を行った後のＣ、Ｍ、Ｙ、Ｋ４色分の第２の多値画像の双方が、多値−多値間差異演算部７２を構成する差異演算部７２２に入力される。この差異演算部７２２では、多値−多値間差異演算過程（図１１のステップＳ２）を構成する差異演算過程（ステップＳ２２）によって、Ｃ、Ｍ、Ｙ、Ｋの各色ごとに独立に、第１の多値画像と第２の多値画像の、対応する画素どうしの差異を表わす値、すなわち本実施形態では、対応する画素どうしの画素値の差分値が求められる。
【００７３】
尚、多値−多値変換と差異演算とを一つの変換にまとめて、第２の多値画像を生成せずに、第１の多値画像から直接差分値を得るように構成してもよい。
【００７４】
この差分値からなる、Ｃ、Ｍ、Ｙ、Ｋの各色ごとの差分画像と、Ｃ、Ｍ、Ｙ、Ｋの各色ごとの第１の２値面積階調画像の双方が２値−２値変換部７３に入力される。この２値−２値変換部７３では、２値−２値変換過程（図１１のステップＳ３）によって、各色ごとに第１の２値面積階調画像の、第２の多値画像の各画素に対応する各領域の面積率が、各画素に対応する差分値に応じて増減され、これにより、各色の第１の２値面積階調画像が、その第１の２値面積階調画像に対し各領域の面積率が増減された、各色ごとの第２の２値面積階調画像に変換される。
【００７５】
また、この２値−２値変換部７３での２値−２値変換過程（図１１のステップＳ３）では、面積率を増減するにあたり、前述した第１実施形態と同様、第１の２値面積階調画像の２値の境界部分を反転することにより、面積率が増減される。
【００７６】
図１２は、本発明の画像変換プログラムの第２実施形態を示した図である。
【００７７】
ここでは、この画像変換プログラムは、図３に示すＣＤ−ＲＯＭ１１０に記憶されている。
【００７８】
この画像変換プログラム８００’は、図６に示す画像変換プログラム８００の２値−多値変換部８０１に代えて、第１変換部８０１１と第２変換部８０１２とからなる２値−多値変換部８０１０を有する。また、この画像変換プログラム８００’は、さらに、図６に示す画像変換プログラム８００と同様に、多値−多値間差異演算部７２と、２値−２値変換部８０３とを有する。これら各部の作用は、前述した画像変換装置７０’の実施形態における同一名称の各部の作用と同一である。これらのうち、多値−多値間差異演算部７２を構成する多値−多値変換部８０２１および差異演算部８０２２の各部の作用も、前述した画像変換装置７０’の実施形態における同一名称の各部の作用と同一である。
【００７９】
図１３〜図１６は、本発明の画像変換方法の第２実施形態を具体的に例示した説明図である。
【００８０】
図１３（Ａ）は、０と１の２値で表現された２値面積階調画像を表わす網点データを示しており、１の部分（斜線を施した部分）は印刷時にインクが塗布される領域に対応した部分である。この２値面積階調画像（図１３（Ａ））は、本実施形態では、カラー画像が色分解されてなる単色画像それぞれを表わすＣ、Ｍ、Ｙ、Ｋ４色の２値面積階調画像の中の１色である単色画像Ｃを表わす２値面積階調画像を例示しており、図１０に示す第１の２値面積階調画像の一部分である。ここでも、前述した第１実施形態と同様、０または１の１つずつの区画をドットと称する。
【００８１】
図１３（Ｂ）は、第３の多値画像の一部分を表わしており、第１の２値面積階調画像（図１３（Ａ））から第３の多値画像（図１３（Ｂ））への画像変換は、図１０に示す第１変換部７１１における、図１１の第１サブ過程（ステップＳ１１）に相当する処理により行われる。ここでは、２４００ｄｐｉの第１の２値面積階調画像（図１３（Ａ））が４ドット×４ドットの領域に分割され、その分割された各分割領域内の１のドットの数を画素値とする、０〜１６の１７値の階調を有する画素からなる６００ｄｐｉの第３の多値画像（図１３（Ｂ））に画像変換される。
【００８２】
図１３（Ｃ）は、第３の多値画像の各画素の画素値の変換により得られた多値画像の一部分を表わしており、第３の多値画像（図１３（Ｂ））から多値画像（図１３（Ｃ））への画像変換は、図１０に示す第２変換部７１２における、図１１の第１サブ過程（ステップＳ１２）に相当する低空間周波数フィルタリング処理により行われる。ここで施される低空間周波数フィルタリング処理は、例えば座標（Ｘ、Ｙ）の画素の画素値をＲ（Ｘ、Ｙ）として、
0004002405.tif 000002
のように、座標（Ｘ、Ｙ）の画素の画素値Ｒ（Ｘ、Ｙ）を、座標（Ｘ、Ｙ）の画素の周辺８画素の画素値の和をその画素の新たな画素値とする画素値Ｒ’（Ｘ、Ｙ）に変換するものである。全ての画素についてこの処理を行うことにより、０〜１６の１７値の階調を有する画素からなる第３の多値画像（図１３（Ｂ））が０〜１２８の１２９値の階調を有する画素からなる多値画像（図１３（Ｃ））に画像変換される。
【００８３】
図１３（Ｄ）は、多値画像（図１３（Ｃ））の各画素の画素値をさらに変換して得られた多値画像の一部分を表わしており、多値画像（図１３（Ｃ））から多値画像（図１３（Ｄ））への画像変換は、上記同様の低空間周波数フィルタリング処理による画像変換であり、第３の多値画像（図１３（Ｂ））から多値画像（図１３（Ｃ））への画像変換と同様の操作を再度行うことにより、０〜１２８の１２９値の階調を有する画素からなる多値画像（図１３（Ｃ））が０〜１０２４の１０２５値の階調を有する画素からなる多値画像（図１３（Ｄ））に画像変換される。
【００８４】
図１３（Ｅ）は、多値画像（図１３（Ｄ））の解像度を変換して得られた多値画像の一部分を表わしており、多値画像（図１３（Ｄ））から多値画像（図１３（Ｅ））への画像変換では、解像度が１／４に変換されている。すなわち、ここでは、０〜１０２４の１０２５値の階調を有する画素からなる６００ｄｐｉの多値画像（図１３（Ｄ））が、この多値画像（図１３（Ｄ））の４画素×４画素の領域内の画素値の合計の値を新たな画素値とすることにより、０〜１６３８４の１６３８５値の階調を有する画素からなる１５０ｄｐｉの多値画像（図１３（Ｅ））に画像変換される。
【００８５】
図１３（Ｆ）は、多値画像（図１３（Ｅ））の階調を変換して得られた多値画像の一部分を表わしており、多値画像（図１３（Ｅ））から第１の多値画像（図１３（Ｆ））への画像変換では、０〜１６３８４の１６３８５値の階調を有する画素からなる１５０ｄｐｉの多値画像（図１３（Ｅ））が、０〜２５５の２５６値の階調を有する画素からなる１５０ｄｐｉの第１の多値画像（図１３（Ｆ））に画像変換される。
【００８６】
上述した、図１３（Ａ）〜図１３（Ｆ）の操作をＣ、Ｍ、Ｙ、Ｋ４色の第１の２値面積階調画像それぞれに対して行い、Ｃ、Ｍ、Ｙ、Ｋ４色それぞれの１５０ｄｐｉの第１の多値画像を得る。
【００８７】
図１４は、Ｃ、Ｍ、Ｙ、Ｋの各第１の多値画像の各画素の画素値の変換により得られたＣ’、Ｍ’、Ｙ’、Ｋ’の各第２の多値画像の一部分を表わしており、図１４に示すＣ、Ｍ、Ｙ、Ｋの各第１の多値画像からＣ’、Ｍ’、Ｙ’、Ｋ’の各第２の多値画像への画像変換は、図１０に示す多値−多値間差異演算部７２を構成する多値−多値変換部７２１における、図１１の多値−多値間差異演算過程（ステップＳ２）を構成する多値−多値変換過程（ステップＳ２１）に相当する処理により行われる。ここでは、Ｃ、Ｍ、Ｙ、Ｋ４色それぞれの第１の多値画像に対し、４次元ＬＵＴに基づくカラーマッチング処理が行われ、Ｃ、Ｍ、Ｙ、Ｋ４色それぞれの第１の多値画像が、多次元変換（ここでは、Ｃ、Ｍ、Ｙ、Ｋの４次元変換）により、Ｃ’、Ｍ’、Ｙ’、Ｋ’４色それぞれの第２の多値画像に画像変換される。
【００８８】
ここで、多次元変換とは、Ｃ、Ｍ、Ｙ、Ｋの４次元変換を例に説明すると、Ｃ、Ｍ、Ｙ、Ｋの変換前の画素値をＣ0、Ｍ0、Ｙ0、Ｋ0とし、Ｃ、Ｍ、Ｙ、Ｋの変換後の画素値をＣ1、Ｍ1、Ｙ1、Ｋ1としたとき、
Ｃ1＝ｆ1（Ｃ0、Ｍ0、Ｙ0、Ｋ0）
Ｍ1＝ｆ2（Ｃ0、Ｍ0、Ｙ0、Ｋ0）
Ｙ1＝ｆ3（Ｃ0、Ｍ0、Ｙ0、Ｋ0）
Ｋ1＝ｆ4（Ｃ0、Ｍ0、Ｙ0、Ｋ0）
のように、Ｃ、Ｍ、Ｙ、Ｋの変換後の画素値Ｃ1、Ｍ1、Ｙ1、Ｋ1のいずれに関しても、変換前のＣ、Ｍ、Ｙ、Ｋの各画素値Ｃ0、Ｍ0、Ｙ0、Ｋ0全てを変数とした４次元の変換を行うことをいう。
【００８９】
図１５は、図１４に示すＣ、Ｍ、Ｙ、Ｋの各第１の多値画像とＣ’、Ｍ’、Ｙ’、Ｋ’の各第２の多値画像の対応する各画素の画素値どうしの差分値を画素値とするＣ、Ｍ、Ｙ、Ｋの各差分画像を表わしており、上記のようにしてＣ’、Ｍ’、Ｙ’、Ｋ’の各第２の多値画像が求められると、次に、図１０に示す多値−多値間差異演算部７２を構成する差異演算部７２２における、図１１の多値−多値間差異演算過程（ステップＳ２）を構成する差異演算過程（ステップＳ２２）に相当する処理が、図１４に示すＣ、Ｍ、Ｙ、Ｋの各第１の多値画像とＣ’、Ｍ’、Ｙ’、Ｋ’の各第２の多値画像に基づいて行われ、４色それぞれについて図１５に示す差分値ΔＣ、ΔＭ、ΔＹ、ΔＫが求められる。
【００９０】
図１６は、図１０に示す２値−２値変換部７３における、図１１の２値−２値変換過程（ステップＳ３）に相当する処理により得られる第２の２値面積階調画像の一部分を例示した図である。ここでは、図１４に示すＣ’、Ｍ’、Ｙ’、Ｋ’４色それぞれの第２の多値画像の各１画素を、図１３（Ａ）に示す第１の２値面積階調画像の１６ドット×１６ドットの領域に対応させて、この領域内の１のドットの数を、図１５に示す差分値ΔＣ、ΔＭ、ΔＹ、ΔＫに応じてそれぞれ増減することによって、図１３（Ａ）に示す第１の２値面積階調画像が図１６に示す第２の２値面積階調画像に変換される。ここでは単色画像Ｃを表わす２値面積階調画像どうしの画像変換による結果を例示している。
【００９１】
具体的には、図１５に示す単色画像Ｃの差分値ΔＣは６であるため、図１３（Ａ）に示す第１の２値面積階調画像の１６ドット×１６ドットの領域の１のドットが集まった部分に隣接した６つの０のドットが１に変換され、これにより、図１６に示す第２の２値面積階調画像が求められる。
【００９２】
このような２値面積階調画像どうしの同様な画像変換処理が、Ｃ、Ｍ、Ｙ、Ｋの各単色画像について、Ｃ、Ｍ、Ｙ、Ｋの各色ごとに独立に行われることにより、Ｃ、Ｍ、Ｙ、Ｋの各第２の２値面積階調画像が求められる。
【００９３】
尚、これまで説明してきた実施形態は、いずれも、第１の多値画像から第２の多値画像への変換を行い、その後第１の多値画像と第２の多値画像との差分値を求めるものであるが、いずれの実施形態においても、第１の多値画像から第２の多値画像への変換への変換と差分値を求める演算とを一つにまとめて、第２の多値画像を生成することなく、第１の多値画像から直接に差分値を得るように構成してもよい。
【００９４】
【発明の効果】
以上説明したように、本発明によれば、２値面積階調画像を、極力同じ網点構造を持ちつつ、かつ極力同じ色で表現された、２値面積階調画像に変換する画像変換方法、画像変換装置、およびコンピュータをそのような画像変換装置として動作させる画像変換プログラムが提供される。
【図面の簡単な説明】
【図１】本発明の一実施形態が適用された印刷およびプルーフ画像作成システムの構成図である。
【図２】図１に１つのブロックで示すパーソナルコンピュータの外観斜視図である。
【図３】パーソナルコンピュータのハードウェア構成図である。
【図４】本発明の画像変換装置の第１実施形態を示す機能ブロック図である。
【図５】本発明の画像変換方法の第１実施形態を示すフローチャートである。
【図６】本発明の画像変換プログラムの第１実施形態を示した図である。
【図７】本発明の画像変換方法の第１実施形態を具体的に例示した説明図である。
【図８】本発明の画像変換方法の第１実施形態を具体的に例示した説明図である。
【図９】本発明の画像変換方法の第１実施形態を具体的に例示した説明図である。
【図１０】本発明の画像変換装置の第２実施形態を示す機能ブロック図である。
【図１１】本発明の画像変換方法の第２実施形態を示すフローチャートである。
【図１２】本発明の画像変換プログラムの第２実施形態を示した図である。
【図１３】本発明の画像変換方法の第２実施形態を具体的に例示した説明図である。
【図１４】本発明の画像変換方法の第２実施形態を具体的に例示した説明図である。
【図１５】本発明の画像変換方法の第２実施形態を具体的に例示した説明図である。
【図１６】本発明の画像変換方法の第２実施形態を具体的に例示した説明図である。
【符号の説明】
１０  カラースキャナ
２０  ワークステーション
３０  フィルムプリンタ
４０  印刷機
４１  印刷画像
５０  パーソナルコンピュータ
５１  本体装置
５１ａ  ＭＯ装填口
５１ｂ  ＣＤ−ＲＯＭ装填口
５１１  ＣＰＵ
５１２  主メモリ
５１３  ハードディスク装置
５１４  ＭＯドライブ
５１５  ＣＤ−ＲＯＭドライブ
５１６  入力インタフェース
５１７  出力インタフェース
５２  画像表示装置
５２ａ  表示画面
５３  キーボード
５４  マウス
５５  バス
６０  プリンタ
６１  プルーフ画像
７０  画像変換装置
７０’  画像変換装置
７１  ２値−多値変換部
７１０  ２値−多値変換部
７１１  第１変換部
７１２  第２変換部
７２    多値−多値間差異演算部
７２１  多値−多値変換部
７２２  差異演算部
７３  ２値−２値変換部
８００  画像変換プログラム
８００’  画像変換プログラム
８０１  ２値−多値変換部
８０１０  ２値−多値変換部
８０１１  第１変換部
８０１２  第２変換部
８０２    多値−多値間差異演算部
８０２１  多値−多値変換部
８０２２  差異演算部
８０３  ２値−２値変換部
１００  ＭＯディスク
１１０  ＣＤ−ＲＯＭ
【図１】
0004002405.tif 000003
【図２】
0004002405.tif 000004
【図３】
0004002405.tif 000005
【図４】
0004002405.tif 000006
【図５】
0004002405.tif 000007
【図６】
0004002405.tif 000008
【図７】
0004002405.tif 000009
【図８】
0004002405.tif 000010
【図９】
0004002405.tif 000011
【図１０】
0004002405.tif 000012
【図１１】
0004002405.tif 000013
【図１２】
0004002405.tif 000014
【図１３】
0004002405.tif 000015
【図１４】
0004002405.tif 000016
【図１５】
0004002405.tif 000017
【図１６】
0004002405.tif 000018